(57)【要約】【課題】コスト低減を図ることができると共に、通帳及び伝票を、連続して取込みかつ処理するオーバーラップ処理での処理速度の向上を図れる通帳伝票プリンタ装置を提供する。【解決手段】通帳伝票プリンタ装置１０を、挿入された通帳又は伝票を吸入する吸入搬送路１１、吸入搬送路１１に設けられ通帳又は伝票の幅を検知し両者を判別する幅検知センサ１２、吸入搬送路１１と連通し幅検知センサ１２により判別された通帳を搬送する通帳搬送路１３、通帳搬送路１３に吸入された通帳の磁気ストライプの記録再生を実施するＭＳＲ／Ｗユニット２６、吸入搬送路１１と連通すると共に幅検知センサ１２により判別された伝票を搬送する伝票搬送路１４、通帳搬送路１３と伝票搬送路１４とを切替える吸入ゲート機構１９、及び印字処理した通帳と伝票とを排出する通帳伝票排出部１６と、を備えた構成とした。【選択図】図１
2008179060.tif 000002
【特許請求の範囲】
【請求項１】
挿入された通帳又は伝票を吸入する吸入部と、
この吸入部の入り口寄りに設けられ当該吸入部に挿入された前記通帳又は伝票の幅を検知し両者を判別する通帳伝票判別手段と、
前記吸入部と連通すると共に前記通帳伝票判別手段により判別された前記通帳を搬送する通帳搬送路と、
この通帳搬送路の近傍に設けられ当該通帳搬送路に吸入された前記通帳の磁気ストライプの記録再生を実施する磁気ストライプ読取り／書込み装置と、
前記吸入部と連通すると共に前記通帳伝票判別手段により判別された前記伝票を搬送する伝票搬送路と、
前記吸入部と前記通帳搬送路及び伝票搬送路との連通部近傍に設けられ、前記吸入部と前記通帳搬送路及び伝票搬送路のいずれか一方とを連通させるために前記通帳搬送路と伝票搬送路とを切替える搬送部切替え手段と、
前記吸入部に隣接して設けられると共に前記通帳搬送路及び伝票搬送路に連通し、当該通帳搬送路及び伝票搬送路の奥側において印字処理した前記通帳及び伝票を排出する通帳伝票排出部と、を備えていることを特徴とする通帳伝票プリンタ装置。
【請求項２】
前記吸入部を、上方への開口部を有しかつ装置の上部から内方に向けて形成すると共に前記開口部から挿入した通帳又は伝票を吸入する吸入搬送路に形成し、
前記通帳伝票判別手段を、前記通帳又は伝票の送り方向と直交する方向の幅を検知する幅検知センサで構成し、
前記通帳伝票排出部を、前記通帳搬送路から前記通帳を排出する通帳排出搬送路と、前記伝票搬送路から前記伝票を排出する伝票排出搬送路とで構成し、
前記搬送部切替え手段を、吸入ゲート機構で構成すると共に、この吸入ゲート機構を切替えて、前記吸入搬送路と前記通帳搬送路、前記吸入搬送路と前記伝票搬送路、前記通帳搬送路と前記通帳排出搬送路、及び前記伝票搬送路と前記伝票排出搬送路とのいずれかを連通させる構成とし、
前記通帳搬送路と前記伝票搬送路との終端を合流可能な構成とすると共に、これらの通帳搬送路又は伝票搬送路に連通され、前記通帳搬送路又は前記伝票搬送路に吸入された前記通帳又は前記伝票に印字処理する印字搬送路を前記終端から延出する方向に設け、
前記通帳搬送路と前記伝票搬送路との合流部近傍に、当該通帳搬送路及び伝票搬送路のいずれかを前記印字搬送路に連通させる合流切替えゲート機構を設け、
前記印字処理を、前記印字搬送路に設けた印字処理部により実行することを特徴とする請求項１に記載の通帳伝票プリンタ装置。
【請求項３】
前記合流切替えゲート機構を、前記通帳搬送路と前記印字搬送路との連通部又は前記伝票搬送路と前記印字搬送路との連通部を遮蔽する開閉ゲートとこの開閉ゲートを回動自在に支持する支持軸とを含み構成したことを特徴とする請求項２に記載の通帳伝票プリンタ装置。
【請求項４】
前記通帳搬送路の終端側に当該通帳搬送路と連通すると共に通帳搬送路内に吸入された前記通帳の先端部を退避可能とした退避搬送路を設けたことを特徴とする請求項１ないし３のいずれか一つに記載の通帳伝票プリンタ装置。
【請求項５】
前記退避搬送路を、前記通帳搬送路と並列して設けると共に、前記開閉ゲートが前記通帳搬送路と前記印字搬送路との連通部を遮蔽する方向に回動した際、その動きに追従し前記伝票搬送路から離れる方向に回動可能な構成としたことを特徴とする請求項４に記載の通帳伝票プリンタ装置。
【請求項６】
前記通帳搬送路の始端側に当該通帳搬送路に吸入された前記通帳の後端位置を検知する通帳位置検知手段を設けると共に、前記伝票搬送路の始端側に当該伝票搬送路に吸入された前記伝票の後端位置を検知する伝票位置検知手段を設けたことを特徴とする請求項１ないし５のいずれか一つに記載の通帳伝票プリンタ装置。
【請求項７】
前記印字搬送路の始端側に当該印字搬送路に吸入された前記通帳または伝票の後端位置を検知する印字位置検知手段を設けたことを特徴とする請求項２ないし６のいずれか一つに記載の通帳伝票プリンタ装置。
【発明の詳細な説明】
【技術分野】
【０００１】
本発明は、銀行や農協などの金融機関で使用される通帳伝票プリンタ装置に関する。
【背景技術】
【０００２】
従来、通帳を連続して取り込み処理するオーバーラップ処理可能な通帳プリンタ装置が知られている（例えば、特許文献１参照）。
図１４に示すように、上記特許文献１に開示された通帳プリンタ装置１００は、通帳を同時に取り込んで処理するオーバーラップ処理を行う場合、下段口１０１より通帳を挿入し、装置内部のＭＳＲ／Ｗユニット１０３で通帳の磁気ストライプを読み取り、所要の印字をした後、上段口１０２の磁気ストライプにて記録し、最後に排出するように構成されている。
【０００３】
すなわち、通帳プリンタ装置１００は、通帳吸入用のフロントインサータが上記下段口１０１となって設けられ、このフロントインサータ１０１の上方に通帳返却用のフロントディスペンサが上記上段口１０２となって設けられている。
フロントインサータ１０１の奥端には可動搬送路１０４が、その奥端１０４Ａを支点として、前端１０４Ｂがフロントインサータ１０１とフロントディスペンサ１０２との間を往復回動できるように構成されている。
通帳は、フロントインサータ１０１から吸入され、可動搬送路１０４を搬送されて印字機構部１０５に到達し、その印字機構部１０５の印字ヘッド１０６で所定の印字処理を行った後、フロントディスペンサ１０２側に回動されている可動搬送路１０４を経由してフロントディスペンサ１０２から返却される。この際にも、フロントディスペンサ１０２側に配置されたＭＳＲ／Ｗユニット１０７で通帳に記録されるようになっている。
以上のように、通帳プリンタ装置１００は、上下段にそれぞれＭＳＲ／Ｗユニット１０３，１０７を備えて構成されている。
【０００４】
【特許文献１】特開昭６２-２９２４６８号公報
【発明の開示】
【発明が解決しようとする課題】
【０００５】
しかしながら、上記特許文献１に開示された通帳プリンタ装置１００では、下段口１０１が通帳吸入用のフロントインサータとして、又、上段口１０２が通帳返却用のフロントディスペンサとして設けられ、下段口１０１と上段口１０２のそれぞれにＭＳＲ／Ｗユニット１０３，１０７を配置する必要があるため、コストアップの要因となっていた。
又、通帳を返却する際にその通帳の後端を上段口１０２に切替える必要があるため、ゲート切替え可能位置まで、すなわち可動搬送路１０４の奥端１０４Ａを越える位置まで搬送しなければならない。可動搬送路１０４は、通帳を印字機構部１０５に移送させなければならないため、開いた通帳の長さ以上でなければならない。その結果、フロントインサータ１０１から印字機構部１０５までの距離が長くなり、処理速度の低下を招いていた。
更に、可動搬送路１０４は、通帳吸入用のフロントインサータ１０１と通帳返却用のフロントディスペンサ１０２とのいずれかと連通した状態でしか使用できないため、可動搬送路１０４内に媒体である通帳が入っている場合は、通帳吸入用のフロントインサータ１０１と通帳返却用のフロントディスペンサ１０２のうち、どちらか一方は使用できない。その結果、使用されていない方が「待ち」の状態となるので、その分、処理速度が低下するという課題がある。
【０００６】
［発明の目的]
このため、本発明では、前記従来例の不都合を改善し、コスト低減を図ることができると共に、通帳及び伝票を、連続して取込みかつ処理するオーバーラップ処理での処理速度の向上を図れる通帳伝票プリンタ装置を提供することを目的とする。
【課題を解決するための手段】
【０００７】
上記目的を達成するため、本発明に係る通帳伝票プリンタ装置を、挿入された通帳又は伝票を吸入する吸入部と、この吸入部の入り口寄りに設けられ当該吸入部に挿入された前記通帳又は伝票の幅を検知し両者を判別する通帳伝票判別手段と、前記吸入部と連通すると共に前記通帳伝票判別手段により判別された前記通帳を搬送する通帳搬送路と、この通帳搬送路の近傍に設けられ当該通帳搬送路に吸入された前記通帳の磁気ストライプの記録再生を実施する磁気ストライプ読取り／書込み装置と、前記吸入部と連通すると共に前記通帳伝票判別手段により判別された前記伝票を搬送する伝票搬送路と、前記吸入部と前記通帳搬送路及び伝票搬送路との連通部近傍に設けられ、前記吸入部と前記通帳搬送路及び伝票搬送路のいずれか一方とを連通させるために前記通帳搬送路と伝票搬送路とを切替える搬送部切替え手段と、前記吸入部に隣接して設けられると共に前記通帳搬送路及び伝票搬送路に連通し、当該通帳搬送路及び伝票搬送路の奥側において印字処理した前記通帳及び伝票を排出する通帳伝票排出部と、を備えた構成とした（請求項１）。
【０００８】
本発明の通帳伝票プリンタ装置によれば、吸入部に、通帳搬送路と伝票搬送路とが搬送部切替え手段により切替え可能に連通され、通帳搬送路の近傍に磁気ストライプ読取り／書込み装置が設けられており、又、吸入部と通帳伝票排出部が別々に構成されているので、搭載される磁気ストライプ読取り／書込み装置が１個でもオーバーラップ処理が可能となる。その結果、高額な磁気ストライプ読取り／書込み装置が従来の装置よりも少なくてすむので、コスト削減ができる。
又、吸入部に、通帳搬送路と伝票搬送路とが搬送部切替え手段により切替え可能に連通されていると共に、吸入部と通帳伝票排出部とが別々に構成されているので、例えば通帳搬送路に通帳が吸入され、その通帳が印字処理されている間に、伝票搬送路に伝票を吸入することができる。そして、上記通帳の印字処理終了後にその通帳を排出する一方で、伝票に印字処理を実行することができる。その結果、通帳搬送路と伝票搬送路とに吸入された通帳と伝票とが「待ち」の状態となることがなくなり、これにより、搬送路通帳及び伝票を、連続して取込みかつ処理するオーバーラップ処理での処理速度の向上を図れる。
【０００９】
本発明において、前記吸入部を、上方への開口部を有しかつ装置の上部から内方に向けて形成すると共に前記開口部から挿入した通帳又は伝票を吸入する吸入搬送路に形成し、前記通帳伝票判別手段を、前記通帳又は伝票の送り方向と直交する方向の幅を検知する幅検知センサで構成し、前記通帳伝票排出部を、前記通帳搬送路から前記通帳を排出する通帳排出搬送路と、前記伝票搬送路から前記伝票を排出する伝票排出搬送路とで構成し、前記搬送部切替え手段を、吸入ゲート機構で構成すると共に、この吸入ゲート機構を切替えて、前記吸入搬送路と前記通帳搬送路、前記吸入搬送路と前記伝票搬送路、前記通帳搬送路と前記通帳排出搬送路、及び前記伝票搬送路と前記伝票排出搬送路とのいずれかを連通させる構成とし、前記通帳搬送路と前記伝票搬送路との終端を合流可能な構成とすると共に、これらの通帳搬送路又は伝票搬送路に連通され、前記通帳搬送路又は前記伝票搬送路に吸入された前記通帳又は前記伝票に印字処理する印字搬送路を前記終端から延出する方向に設け、前記通帳搬送路と前記伝票搬送路との合流部近傍に、当該通帳搬送路及び伝票搬送路のいずれかを前記印字搬送路に連通させる合流切替えゲート機構を設け、前記印字処理を、前記印字搬送路に設けた印字処理部により実行する構成としてもよい（請求項２）。
【００１０】
このようにすると、吸入搬送路から吸入された通帳又は伝票が吸入ゲート機構で切替えられ、それぞれが、通帳搬送路又は伝票搬送路に吸入された後、合流切替えゲート機構により切替えられて、印字搬送路に設けた印字処理部により印字処理される。その後、通帳及び伝票は、それぞれが通帳排出口と伝票排出口とから排出される。その結果、通帳及び伝票の後端を揃えてゲート切替え位置まで搬送する必要がないため、処理速度の向上が図れる。
【００１１】
本発明において、前記合流切替えゲート機構を、前記通帳搬送路と前記印字搬送路との連通部又は前記伝票搬送路と前記印字搬送路との連通部を遮蔽する開閉ゲートとこの開閉ゲートを回動自在に支持する支持軸とを含み構成してもよい（請求項３）。
【００１２】
このため、これによると、開閉ゲートが支持軸により回動自在となっているので、簡単な構造で切替えることができる。
【００１３】
本発明において、前記通帳搬送路の終端側に当該通帳搬送路と連通すると共に通帳搬送路内に吸入された前記通帳の先端部を退避可能とした退避搬送路を設けてもよい（請求項４）。
【００１４】
このようにすると、通帳搬送路内に吸入された通帳の先端部を一端退避搬送路に退避させることができるので、通帳搬送路の長さを短くすることができる。その結果、通帳の搬送距離が短くてすみ、処理速度の向上を図れる。
【００１５】
本発明において、前記退避搬送路を、前記通帳搬送路と並列して設けると共に、前記開閉ゲートが前記通帳搬送路と前記印字搬送路との連通部を遮蔽する方向に回動した際、その動きに追従し前記伝票搬送路から離れる方向に回動可能な構成としてもよい（請求項５）。
【００１６】
このため、これによると、退避搬送路を開閉ゲートの動きに追従させればよいので、動きがフリーとなる構成とすればよく、その結果、退避搬送路を簡単な構成とすることができる。
【００１７】
本発明において、前記通帳搬送路の始端側に当該通帳搬送路に吸入された前記通帳の後端位置を検知する通帳位置検知手段を設けると共に、前記伝票搬送路の始端側に当該伝票搬送路に吸入された前記伝票の後端位置を検知する伝票位置検知手段を設けた構成としてもよい（請求項６）。
【００１８】
このようにすると、通帳位置検知手段により通帳搬送路に通帳が後端まで完全に吸入されたこと、伝票位置検知手段により伝票搬送路に伝票が後端まで完全に吸入されたことがそれぞれ検知されるので、搬送部切替え手段の切替え操作を安全に行うことができる。
【００１９】
本発明において、前記印字搬送路の始端側に当該印字搬送路に吸入された前記通帳または伝票の後端位置を検知する印字位置検知手段を設けた構成としてもよい（請求項７）。
【００２０】
このようにすると、印字位置検知手段により印字搬送路に通帳または伝票が後端まで完全に吸入されたことが検知されるので、合流切替え手段の切替え操作を安全に行うことができる。
【発明の効果】
【００２１】
本発明は、以上のように構成され機能するので、これによると、コスト低減を図ることができると共に、通帳及び伝票を、連続して取込みかつ処理するオーバーラップ処理での処理速度の向上を図れる。
【発明を実施するための最良の形態】
【００２２】
以下、図１〜４に基づいて、本発明の通帳伝票プリンタ装置１０の一実施形態を説明する。
【００２３】
図１には、上記実施形態の通帳伝票プリンタ装置１０の概略構成が側面の縦断面図として示されている。
同図に示すように、通帳伝票プリンタ装置１０の上部には、吸入部としての吸入搬送路１１が設けられている。この吸入搬送路１１は、上方が開口されると共に装置１０の上面から斜め奥側下方に向かって所定距離延びた形状となっている。吸入搬送路１１は、通帳５０と伝票５１（図５，１０等参照）とをそれぞれ吸入し、かつ搬送できるような幅寸法と厚さ寸法に形成されている。
なお、通帳５０は、開いた状態で、開き方向先端から挿入されるようになっている。
【００２４】
吸入搬送路１１の入り口寄りには、通帳伝票判別手段としての幅検知センサ１２が設けられている。この幅検知センサ１２は、吸入搬送路１１に挿入されたものが、通帳５０であるのか、あるいは伝票５１であるのかを検知するものであり、それぞれの幅を検知することで両者５０，５１を判別できるようになっている。
なお、通帳５０は、開き方向と直交する方向、すなわち送り方向と直交する方向の幅が検知されるようになっている。
【００２５】
吸入搬送路１１の先端は通帳搬送路１３と伝票搬送路１４とに連通されている。これらの通帳搬送路１３と伝票搬送路１４とは吸入搬送路１１から分岐した後、並列状態で、それぞれが斜め奥側下方に向かって所定距離延びた後、合流部において各搬送路１３，１４の先端が互いに合流する構成とされている。
【００２６】
そして、各搬送路１３，１４の先端が互いに合流する部位では、それぞれの搬送路１３，１４が、その奥側に設けられた印字搬送路１５に連通可能となっており、後述する合流切替えゲート機構２９を適宜切替えることで、通帳搬送路１３と伝票搬送路１４とのいずれかと、印字搬送路１５とが連通するようになっている。
なお、印字搬送路１５は、前記通帳搬送路１３の略延長上に形成されている。
【００２７】
通帳搬送路１３と伝票搬送路１４とには、前記吸入搬送路１１との連通部近傍において、通帳伝票プリンタ装置１０の上面側に開口する排出部１６が連通可能に設けられ、この排出部１６は、通帳排出搬送路１７と伝票排出搬送路１８とで構成されている。
又、これらの通帳排出搬送路１７と伝票排出搬送路１８とは、前記吸入搬送路１１の先端とも連通している。
【００２８】
前記吸入搬送路１１と、通帳搬送路１３、伝票搬送路１４、通帳排出搬送路１７及び伝票排出搬送路１８との連通部近傍には、搬送部切替え手段としての吸入ゲート機構１９が設けられている。
【００２９】
この吸入ゲート機構１９は、その詳細を図２〜４に示すように、第１切替え弁２０、第２切替え弁２１、第３切替え弁２２を備えている。これらの第１〜第３切替え弁２０〜２１は、それぞれ第１カム２３、第２カム２４、第３カム２５に連動する構成となっており、これらの第１〜第３カム２３〜２５を制御することによって切換えが行われるようになっている。
【００３０】
第１切替え弁２０は、図４に示すように、単独で吸入搬送路１１の通帳搬送路１３等への連通部を遮蔽すると共に、図２に示すように、第２切替え弁２１と協働して吸入搬送路１１と通帳搬送路１３とを連通させることができるような形状に形成されている。
【００３１】
第２切替え弁２１は、図３に示すように、第１切替え弁２０で通帳搬送路１３等への連通部を遮蔽しない状態において、単独で通帳搬送路１３の始端を遮蔽できると共に、図４に示すように、通帳搬送路１３と通帳排出搬送路１７とを連通させることができるような形状に形成されている。
【００３２】
又、第３切替え弁２２は、図２，４に示すように、伝票搬送路１４と伝票排出搬送路１８とを連通させることができ、かつ図３に示すように、第１切替え弁２０と協働して吸入搬送路１１と伝票搬送路１４とを連通させることができるような形状に形成されている。
【００３３】
そして、これらの各切替え弁２０〜２１を適宜切替えることにより、吸入搬送路１１を通帳搬送路１３あるいは伝票搬送路１４に連通させることができ、又、通帳５０あるいは伝票５１の排出時に、通帳搬送路１３と通帳排出搬送路１８、あるいは伝票搬送路１４と伝票排出搬送路１８とを連通させることができる。
このように、前記吸入ゲート機構１９は、３ポジションの切替えが可能になっている。又、各切替え弁２０〜２１の切替えは、前記幅検知センサ１２により検知されて判別された情報に基づいて行われる。
【００３４】
すなわち、吸入搬送路１１に吸入されたものが幅検知センサ１２により通帳５０である、と判断されたときは、その情報に基づいて、図２に示すように、第１切替え弁２０と第２切替え弁２１とが制御され、これらの切替え弁２０，２１で、吸入搬送路１１から伝票搬送路１４、通帳排出搬送路１７及び伝票排出搬送路１８への通路を遮断することにより、吸入搬送路１１と通帳搬送路１３とが連通され、吸入搬送路１１に吸入された通帳５０が通帳搬送路１３に搬送されるようになる。そして、この状態が通帳搬送ポジションとされる。
【００３５】
又、吸入搬送路１１に吸入されたものが幅検知センサ１２により伝票５１である、と判断されたときは、その情報に基づいて、図３に示すように、第１切替え弁２０と第３切替え弁２２とで、通帳排出搬送路１７及び伝票排出搬送路１８の入り口を遮断すると共に、第２切替え弁２１により吸入搬送路１１から通帳搬送路１３への通路を遮断することで、伝票５１が伝票搬送路１４に搬送されるようになる。そして、この状態が伝票搬送ポジションとされる。
【００３６】
更に、通帳５１及び伝票５１を排出する際は、図４に示すように、第１〜第３切替え弁２０〜２１を制御し、第１切替え弁２０で吸入搬送路１１から通帳搬送路１３等への通路を遮断すると共に、第２切替え弁２１で通帳搬送路１３から伝票排出搬送路１８への通路を遮断し、第３切替え弁２２で伝票搬送路１４から通帳排出搬送路１７への通路を遮断することで、通帳５０を通帳搬送路１３から通帳排出搬送路１７に搬送し、かつそこから排出させることができる。又、伝票５１を、伝票搬送路１４から伝票排出搬送路１８に搬送し、かつそこから排出させることができる。
そして、前記図４の状態が排出ポジションとされる。
【００３７】
図１に戻って、前記通帳搬送路１３の吸入ゲート機構１９側寄りには、吸入された通帳５０の磁気ストライプの記録再生をする磁気ストライプ読取り／書込み装置としてのＭＳＲ／Ｗユニット２６が配置されている。
【００３８】
又、通帳搬送路１３の先端側端部には、図５等にも示すように、通帳５０の先端部を収容可能な退避搬送路２７が設けられている。この退避搬送路２７は、支持部材２７Ａを介して、後述する合流切替えゲート機構３０の動きに追従して、図７等に示すように通帳搬送路１３と並列した状態と、図５に示すように、伝票搬送路１４から遠ざかる方向に回動可能な構成となっている。つまり、退避搬送路２７は動きがフリーな構成となっている。そして、図５に示す状態となったとき、通帳搬送路１３内の通帳５０の先端が合流切替えゲート機構３０の開閉ゲート３１にガイドされて退避搬送路２７に収納されるようになっている（図６参照）。
【００３９】
通帳搬送路１３におけるＭＳＲ／Ｗユニット２６の吸入ゲート機構１９側手前には通帳用位置センサ２８が設けられている。この通帳用位置センサ２８は、通帳搬送路１３内に吸入された通帳５０の後端位置を検知するものであり、これにより、通帳搬送路１３内に通帳５０がその後端まで完全に吸入されていることを確認することができる。
【００４０】
伝票搬送路１４における吸入ゲート機構１９側手前には伝票用位置センサ２９が設けられている。この伝票用位置センサ２９は、伝票搬送路１４内に搬送されてきた伝票５１の後端位置を検知するものであり、これにより、伝票搬送路１４内に伝票５１がその後端まで完全に吸入されていることを確認することができる。
【００４１】
上述のように、通帳搬送路１３の始端側に当該通帳搬送路１３に吸入された通帳５０の後端位置を検知する通帳用位置センサ２８が設けられ、また、伝票搬送路１４の始端側に当該伝票搬送路１４に吸入された伝票５１の後端位置を検知する伝票用位置センサ２９が設けられているので、通帳搬送路１３に通帳５０が後端まで完全に吸入されたこと、あるいは伝票搬送路１４に伝票５１が後端まで完全に吸入されたことをそれぞれ検知することができる。その結果、吸入ゲート機構１９の切替え操作を安全に行うことができる。
【００４２】
また、通帳搬送路１３において、次に詳細を述べる合流切替えゲート機構３０側寄りには、通帳搬送路１３内に吸入された通帳５０がその位置まで確実に吸入されているか否かを確認する通帳通過位置センサ３５が設けられている。
更に、伝票搬送路１４において、合流切替えゲート機構３０側寄りには、伝票搬送路１４内に吸入された伝票５１がその位置まで確実に吸入されているか否かを確認する伝票通過位置センサ３６が設けられている。
ただし、これらの通帳通過位置センサ３５及び伝票通過位置センサ３６は必ずしも設けなくてもよい。
【００４３】
通帳搬送路１３と伝票搬送路１４とが合流する合流部近傍には、合流切替えゲート機構３０が設けられている。この合流切替えゲート機構３０は、図５等に示すように、断面略櫂状に形成された開閉ゲート３１と、この開閉ゲート３１を回動自在に支持する支持軸３１とを備えて構成されている。
【００４４】
開閉ゲート３１は、通帳５０及び伝票５１の幅と略同じ、あるいはそれ以上の幅寸法に形成されている。そして、開閉ゲート３１は、図５，６等に示すような退避搬送路２７側と、図７に示すような伝票搬送路１４側との間で回動し、通帳搬送路１３と伝票搬送路１４とを適宜開閉することで、通帳５０、あるいは伝票５１を、それぞれ通帳搬送路１３、あるいは伝票搬送路１４から、印字搬送路１５に送り込むような構成となっている。
【００４５】
ここで、開閉ゲート３１が、図５，６等に示すように退避搬送路２７側に回動されているとき、通帳搬送路１３内に吸入されてきた通帳５０の先端は、開閉ゲート３１の先端で、印字搬送路１５への搬送が遮蔽された状態となると共に、退避搬送路２７に送り込まれた状態となる。このとき、図１０に示すように、伝票搬送路１４と印字搬送路１５とが連通した状態となり、伝票５１が伝票搬送路１４から印字搬送路１５へと送り込まれるようになっている。
【００４６】
前記印字搬送路１５において、合流切替えゲート機構３０側には、通帳５０及び伝票５１に印字を実行する印字部としての印字ヘッド３３が設けられている。
又、印字搬送路１５において、印字ヘッド３３の合流部側寄りには、印字用位置センサ３４が設けられている。この印字用位置センサ３４は、印字搬送路１５に搬送されてくる通帳５０、又は伝票５１の先端位置を検知するものであり、これにより、印字搬送路１５内に通帳５０、又は伝票５１が確実に吸入されていることを確認することができる。
【００４７】
次に、以上のような構成の通帳伝票プリンタ装置１０の動作を、図５〜８に基づいて説明する。なお、図５〜８は、通帳５０の単発処理をする場合の動作順序を示したものである。
【００４８】
まず、図５に示すように、吸入搬送路１１に通帳５０を挿入した場合、この通帳５０は、幅検知センサ１２により幅が検知されて通帳５０と判断され、その情報に基づいて、吸入ゲート機構１９により、通帳搬送路１３と伝票搬送路１４のうち通帳搬送路１３側に切替えられ、吸入搬送路１１と通帳搬送路１３とが連通する。
この際、第１切替え弁２０と第２切替え弁２１とで、吸入搬送路１１から伝票搬送路１４への入り口が塞がれる結果、吸入搬送路１１と通帳搬送路１３とが連通される。
【００４９】
次に、図６に示すように、吸入搬送路１１から通帳搬送路１３への切替えが終了すると、通帳５０は、通帳用位置センサ２８で位置を検出された後、通帳搬送路１３の磁気ストライプの読み取り位置まで吸入され、磁気ストライプのデータをＭＳＲ／Ｗユニット２６により読み取られる。このとき通帳５０の先端は、退避搬送路２７に退避している。
【００５０】
その後、通帳１３に印字処理するため、図７に示すように、通帳用位置センサ２８により一旦排出方向に移動させて通帳５０の先端を退避搬送路２７から抜き出し、その後、合流切替えゲート機構３０による切替え可能位置まで搬送し、合流切替えゲート機構３０の開閉ゲート３１を伝票搬送路１４側に回動して、通帳搬送路１３と印字搬送路１５とを連通させ、伝票用位置センサ２９により、通帳５０を所定の位置まで搬送し、所定の印字処理が行われる。
なお、図７では第一印字位置が通帳の１行目を表しているが、２行目以降も順次送り込んで、印字処理が行われる。
【００５１】
そして、印字処理が終了すると、図８に示すように、通帳搬送路１３と印字搬送路１５とを連通させた状態で、かつ吸入ゲート機構１９により、吸入搬送路１１を通帳搬送路１３側に切替えた後、ＭＳＲ／Ｗユニット２６で通帳５０の磁気ストライプに書き込み、引き続き、通帳排出搬送路１７を経由させて排出する。
【００５２】
以上の説明は、通帳５０の挿入から排出までであったが、伝票５１の場合も、基本的には通帳５０と同様である。
すなわち、吸入搬送路１１に伝票５１を挿入した場合、この伝票５１は、幅検知センサ１２により幅が検知されて伝票５１と判断され、その情報により、吸入ゲート機構１９を切替え、吸入搬送路１１と伝票搬送路１４とが連通される。そして、伝票搬送路１４では、吸入した伝票５１を、伝票用位置センサ２９により、伝票５１の後端が、吸入ゲート機構１９が切替えられる位置まで搬送され、その位置で停止される。
【００５３】
次いで、伝票５１の印字処理をするため、合流切替えゲート機構３０の操作により、伝票搬送路１４と印字搬送路１５とを連通させると共に、伝票用位置センサ２９により伝票５１を所定の位置まで搬送し、印字ヘッド３３で印字処理を行う。
伝票５１への印字処理が終了すると、吸入ゲート機構１９の第３切替え弁２２を操作して、伝票搬送路１４と伝票排出搬送路１８とを連通させ、印字処理済の伝票５１を伝票排出搬送路１８から完全排出する。
【００５４】
次に、図９〜１３に基づいて、通帳５０と伝票５１の連続処理をする場合の動作を説明する。
【００５５】
まず、図９に示すように、吸入搬送路１１に通帳５０が挿入された場合、幅検知センサ１２により通帳５０と判断され、その情報に基づいて吸入ゲート機構１９の第１、第２切替え弁２０，２１を操作して、通帳搬送路１３側に切替え（図２も参照）、吸入搬送路１１と通帳搬送路１３とを連通させる。
【００５６】
通帳搬送路１３への切替えが終了すると、図１０に示すように、通帳５０は、通帳搬送路１３の磁気ストライプの読み取り位置まで吸入され、その位置で、通帳５０の磁気ストライプのデータがＭＳＲ／Ｗユニット２６により読み取られる。
このとき、合流切替えゲート機構３０の開閉ゲート３１が退避搬送路２７側に回動しており、通帳搬送路１３と印字搬送路１５とは遮蔽しているので、通帳５０の先端は、開閉ゲート３１に押しやられ、退避搬送路２７に退避している状態である。
【００５７】
通帳５０が通帳搬送路１３内に収容された状態で、次に、伝票５１を吸入搬送路１１に挿入すると、幅検知センサ１２により伝票５１と判断され、その情報に基づいて、吸入ゲート機構１９の第１〜第３切替え弁２０〜２１を操作して、伝票搬送路１４側に切替えられる。そして、伝票搬送路１４では、図１０に示すように、伝票５１を吸入し、吸入ゲート機構１９を切替えることができるような位置まで、すなわち、伝票用位置センサ２９により伝票５１の後端を検知することができる位置まで搬送され停止する。
【００５８】
その後、図１１に示すように、通帳５０と伝票５１とに印字処理するため、まず、通帳５０が通帳搬送路１３から印字搬送路１５内の所定の位置まで印字用位置センサ３４により搬送され、印字ヘッド３３で所定の印字が実行される。
通帳５０への印字処理が終了すると、図１２に示すように、その通帳５０は排出方向に移動され、ＭＳＲ／Ｗユニット２６で通帳５０の磁気ストライプに書き込んでから、通帳排出搬送路１７を経由して排出される。
【００５９】
引き続き伝票５１の印字処理をするため、図１２に示すように、合流切替えゲート機構３０の開閉ゲート３１を退避搬送路２７側に回動させて伝票搬送路１４を印字搬送路１５に連通させ、伝票搬送路１４内に収容されている伝票５１が、印字用位置センサ３４で印字搬送路１５内の所定の位置まで搬送され、印字ヘッド３２によって所定の印字処理が行われる。
【００６０】
次に、伝票５１への印字処理が終了すると、図１３に示すように、その伝票５１は排出方向に移動され、伝票排出搬送路１８を経由して完全排出される。
【００６１】
なお、上記に説明した通帳５０と伝票５１の同時処理で、通帳５０の排出後に、再度通帳５０が吸入搬送路１１に挿入された場合、吸入ゲート機構１９を通帳搬送路１３側に切替えることができる。
このとき、伝票５１が吸入ゲート機構１９の内部にある場合があるが、この場合は、吸入ゲート機構１９の伝票排出側に切替える切替え弁が動かないように制御することで通帳搬送路１３側に切替えることが出来る。
【００６２】
本実施形態の通帳伝票プリンタ装置１０は、以上のように構成され、作動するので、次のような効果を得ることができる。
（１）吸入搬送路１１に、通帳搬送路１３と伝票搬送路１４とが吸入ゲート機構１９により切替え可能に連通され、通帳搬送路１３の近傍にＭＳＲ／Ｗユニット２６が設けられており、又、吸入搬送路１１と通帳搬送路１３が別々に構成されているので、搭載されるＭＳＲ／Ｗユニット２６が１個でもオーバーラップ処理が可能となる。その結果、高額なＭＳＲ／Ｗユニット２６が従来の装置よりも少なくてすむので、コスト削減ができる。
【００６３】
（２）吸入搬送路１１に、通帳搬送路１３と伝票搬送路１４とが吸入ゲート機構１９により切替え可能に連通されていると共に、吸入搬送路１１と通帳排出搬送路１７等とが別々に構成されているので、例えば通帳搬送路１３に通帳５０が吸入され、その通帳５０が印字処理されている間に、伝票搬送路１８に伝票５１を吸入することができる。そして、通帳５０の印字処理終了後にその通帳５０を排出する一方で、伝票５１に印字処理を実行することができる。その結果、通帳搬送路１３と伝票搬送路１４とに吸入された通帳５０と伝票５１とが「待ち」の状態となることがなくなり、これにより、通帳５０及び伝票５１を、連続して取込みかつ処理するオーバーラップ処理での処理速度の向上を図れる。
【００６４】
（３）通帳伝票排出部１６が、通帳排出口１７と伝票排出口１８とに分けられており、通帳５０や伝票５１の後端を同一の排出口に切替える必要がないため、処理速度が向上する。
【００６５】
（４）合流切替えゲート機構３０を、通帳搬送路１３と印字搬送路１５との連通部、又は伝票搬送路１４と印字搬送路１５との連通部を遮蔽する開閉ゲート３１とこの開閉ゲート３１を回動自在に支持する支持軸３２とを含み構成としたので、簡単な構造で切替えることができる。
【００６６】
（５）通帳搬送路１３の終端側に当該通帳搬送路１３と連通すると共に通帳搬送路１３内に吸入された通帳５０の先端部を退避可能とした退避搬送路２７が設けられているので、通帳搬送路１３内に吸入された通帳５０の先端部を一端退避搬送路２７に退避させることができる。その結果、通帳搬送路１３の長さを短くすることができるので、通帳５０の搬送距離が短くてすみ、処理速度の向上を図れる。
【００６７】
（６）退避搬送路２７が通帳搬送路１３と並列して設けられており、この退避搬送路２７は、開閉ゲート３１が通帳搬送路１３と印字搬送路１５との連通部を遮蔽する方向に回動した際、その動きに追従し伝票搬送路１４から離れる方向に回動可能となっているので、動きがフリーとなる構成とすればよく、その結果、退避搬送路２７を簡単な構成とすることができる。
【００６８】
（７）通帳搬送路１３の始端側に当該通帳搬送路１３に吸入された通帳５０の後端位置を検知する通帳用位置センサ２８が設けられ、また、伝票搬送路１４の始端側に当該伝票搬送路１４に吸入された伝票５１の後端位置を検知する伝票用位置センサ２９が設けられているので、通帳搬送路１３に通帳５０が後端まで完全に吸入されたこと、あるいは伝票搬送路１４に伝票５１が後端まで完全に吸入されたことをそれぞれ検知することができる。その結果、吸入ゲート機構１９の切替え操作を安全に行うことができる。
【００６９】
（８）印字搬送路１５の始端側に当該印字搬送路１５に吸入された通帳５０または伝票５１の後端位置を検知する印字位置センサ３４が設けられているので、印字搬送路１５に通帳５０または伝票５１が後端まで完全に吸入されたことを検知することができる。その結果、合流切替えゲート機構３０の切替え操作を安全に行うことができる。
【００７０】
なお、本発明は前述の実施形態に限定されるものではなく、本発明の目的を達成できる範囲での変形、改良等は本発明に含まれるものである。
例えば、前記実施形態では、通帳搬送路１３に退避搬送路２７を設けてあるが、この退避搬送路２７は必ずしも設けなくてもよい。この場合、通帳伝票プリンタ装置１０の全長を若干長く形成することで、通帳５０を退避搬送路２７に退避する必要がなくなるので、印字のために、排出方向に搬送する必要がなくなる。その結果、処理速度の向上を図ることができるという効果がある。
【産業上の利用可能性】
【００７１】
本発明の本発明は、銀行や農協などの金融機関などに使用される通帳伝票プリンタ装置に利用することができる。
【図面の簡単な説明】
【００７２】
【図１】本発明の通帳伝票プリンタ装置の一実施形態を示す側面の縦断面図である。
【図２】前記実施形態のゲート機構の一態様を示す縦断面図である。
【図３】前記実施形態のゲート機構の他の態様を示す縦断面図である。
【図４】前記実施形態のゲート機構の更に他の態様を示す縦断面図である。
【図５】前記実施形態における通帳の単発処理の手順を示し、吸入搬送路に通帳が吸入された状態を示す縦断面図である。
【図６】前記実施形態における通帳の単発処理の手順を示し、通帳搬送路に通帳が吸入された状態を示す縦断面図である。
【図７】前記実施形態における通帳の単発処理の手順を示し、印字搬送路において通帳に印字処理が施工されている状態を示す縦断面図である。
【図８】前記実施形態における通帳の単発処理の手順を示し、印字処理済の通帳が排出される状態を示す縦断面図である。
【図９】前記実施形態における通帳と伝票との連続処理の手順を示し、吸入搬送路に通帳が吸入された状態を示す縦断面図である。
【図１０】前記実施形態における通帳と伝票との連続処理の手順を示し、伝票搬送路から印字搬送路に伝票が送られ印字処理が施工されている状態を示す縦断面図である。
【図１１】前記実施形態における通帳と伝票との連続処理の手順を示し、通帳に印字施工されると共に印字処理済の伝票が排出される状態を示す縦断面図である。
【図１２】前記実施形態における通帳と伝票との連続処理の手順を示し、印字処理済の伝票が排出されると共に次の伝票の処理が行われる状態を示す縦断面図である。
【図１３】前記実施形態における通帳と伝票との連続処理の手順を示し、最後の印字処理済の伝票が排出される状態を示す縦断面図である。
【図１４】従来の通帳伝票プリンタ装置を示す側面の縦断面図である。
【符号の説明】
【００７３】
１０    通帳伝票プリンタ装置
１１    吸入搬送路
１２    通帳伝票判別手段としての幅検知センサ
１３    通帳搬送路
１４    伝票搬送路
１５    印字搬送路
１６    通帳伝票排出部
１７    通帳伝票排出部を構成する通帳排出搬送路
１８    通帳伝票排出部を構成する伝票排出搬送路
１９    搬送部切替え手段としての吸入ゲート機構
２６    磁気ストライプ読取り／書込み装置としてのＭＳＲ／Ｗユニット
５０    通帳
５１    伝票
【図１】
2008179060.tif 000003
【図２】
2008179060.tif 000004
【図３】
2008179060.tif 000005
【図４】
2008179060.tif 000006
【図５】
2008179060.tif 000007
【図６】
2008179060.tif 000008
【図７】
2008179060.tif 000009
【図８】
2008179060.tif 000010
【図９】
2008179060.tif 000011
【図１０】
2008179060.tif 000012
【図１１】
2008179060.tif 000013
【図１２】
2008179060.tif 000014
【図１３】
2008179060.tif 000015
【図１４】
2008179060.tif 000016